(57)【要約】      （修正有）【課題】机上等の設置面に設置して使用できるとともに、携帯性を阻害することなく手持ち状態でも使用することもでき、さらに安全性を高めたガスバーナを提供する。【解決手段】燃焼ノズル３を設けたヘッド部２と、燃料ガスを収容する燃料タンク４と、手指で握持する握持部５とを有するガスバーナ本体６と、上記ガスバーナ本体に連結部材８で連結され、上記ノズルから噴出する火炎の噴出方向を所定の範囲内で調節して設置できる保持スタンド７とを備える。ガスバーナを手持ちで使用する場合は、保持スタンドを連結部材８で回動させ把持部近傍から退避させる。【選択図】図１
0003184009.tif 000002
【実用新案登録請求の範囲】
【請求項１】
燃焼ノズルを設けたヘッド部と、燃料ガスを収容する燃料タンクと、手指で握持する握持部とを有するガスバーナ本体と、
上記ガスバーナ本体に連結されるとともに、上記ノズルから噴出する火炎の噴出方向を所定の範囲内で調節して設置できる保持スタンドとを備える、ガスバーナ。
【請求項２】
上記保持スタンドは、上記ガスバーナ本体を設置面に対して所定角度範囲で位置決め保持できる連結部材を備えて構成されているとともに、
上記握持部近傍から退避させた退避位置をとることができるように構成されている、請求項１に記載のガスバーナ。
【請求項３】
上記保持スタンドは、上記握持部の両側に沿って平行に延びる一対のアーム部と、上記アーム部を立設するとともに設置面に設置できるベース部とを備え、
上記アーム部の先端に設けられる上記連結部材を介して、上記ヘッド部又はその近傍を、上記設置面に平行な軸周りに所定の角度範囲で回動可能に保持できるように構成されている、請求項１又は請求項２に記載のガスバーナ。
【請求項４】
上記保持スタンドは、上記燃焼ノズルから噴出する火炎を、設置面に対して４５度で向かう方向〜設置面に対して直角に離れる方向の角度範囲内で角度調節して噴射できるように構成されている、請求項１から請求項３のいずれか１項に記載のガスバーナ。
【請求項５】
上記保持スタンドは、上記燃焼ノズルの先端が設置面から６ｃｍ以上離れるように構成されている、請求項１から請求項４のいずれか１項に記載のガスバーナ。
【請求項６】
上記連結部材は、上記ガスバーナ本体を着脱可能に保持する保持部材を備えて構成されている、請求項３から請求項５のいずれか１項に記載のガスバーナ。
【請求項７】
上記ベース部は、取付用磁石を備えて構成されている、請求項３から請求項６のいずれか１項に記載のガスバーナ。
【請求項８】
上記ベース部は、転倒防止用の延出部を備えて構成されている、請求項３から請求項７のいずれか１項に記載のガスバーナ。
【請求項９】
上記延出部は、上記ベース部の縁部から出没可能に設けられている、請求項８に記載のガスバーナ。
【請求項１０】
請求項１から請求項９のいずれか１項に記載された、ガスバーナ用スタンド。
【考案の詳細な説明】
【技術分野】
【０００１】
本願考案は、ガスバーナ及びガスバーナ用スタンドに関する。詳しくは、燃料ガスを収容する燃料タンクを備えた携帯用のガスバーナであって、手持ち状態で使用できるとともに、机上等に設置して所要の方向に火炎を噴出させて使用できる保持スタンドを備えるガスバーナに関する。
【背景技術】
【０００２】
模型工作等において、加熱用具として小型のガスバーナ（トーチともいう）が用いられることが多い。上記ガスバーナは、ガスを噴出させて燃焼させる燃焼ノズルを備えて構成されている。従来、上記燃焼ノズルを設けたヘッド部を、小型の燃料ボンベに接続して用いるものが提供されている。上記ガスバーナは、作業者が上記燃料ボンベを握持して作業を行うように構成されている。また、特許文献１に示すように、より携帯性を高めるため、上記ヘッド部から延出する握持部を設け、この握持部に燃料ガスを収容する燃料タンクを収容したガスバーナが提供されている。上記燃料タンクには、ガスライター等に用いられる燃料ガスが充填される。
【０００３】
上記ヘッド部あるいは上記握持部には、点火用ボタンが設けられており、この点火用ボタンを押圧操作することにより上記燃焼ノズルからガスを噴出させて燃焼させるように構成されている。ガスバーナは、ガスライターに比べて長時間連続してガスを燃焼させて作業を行う必要があるため、上記点火ボタンから手指を離した状態でも、燃料ガスを連続して噴出させて燃焼させることができるように構成されることが多い。
【先行技術文献】
【特許文献】
【０００４】
【特許文献１】実用新案登録第３０００６４０号
【考案の概要】
【考案が解決しようとする課題】
【０００５】
上記従来の携帯型のガスバーナは、手指で握持して使用することを前提としている。このため、被加熱物を固定するか、一方の手指で上記ガスバーナを握持するとともに、他方の手指で被加熱物を保持して加熱作業を行う必要があった。
【０００６】
ところが、小型のガスバーナを用いて加熱する被加熱物は寸法等が小さいものが多い。このため、被加熱物の形態によっては、固定するのが困難な場合がある。また、被加熱物を固定するための特別な固定用具が必要になる場合も多い。しかも、広い範囲を加熱する場合には、作業中に、被加熱物の固定箇所を変更しなければならない場合もある。
【０００７】
また、一方の手指で被加熱物を保持し、他方の手指でガスバーナを操作することも考えられるが、精密な加熱加工を行うのは困難である。
【０００８】
上記不都合を回避するため、上記ガスバーナを机上等に固定することも考えられる。しかしながら、火炎の方向が固定されてしまうと、かえって使い勝手が悪くなる恐れがある。しかも、携帯用の小型ガスバーナはサイズが小さいため、机上に安定して設置するためには、ある程度の大きさの器具が必要となり、携帯性を阻害することになる。また、ガスバーナを手持ち状態で使用した方が良い場合もある。
【０００９】
さらに、机上に設置したガスバーナの火炎が壁や机上に向かって噴出すると、これら部材を焦がしたり、火災が発生する恐れもあり危険である。このため、設置面に対してある程度の面積で設置できるようにて構成する必要がある。ところが、設置面に対接する面積が大きなスタンド等を設けると、携帯性を大きく阻害することになる。
【００１０】
本願考案は、上記従来の問題を解消し、机上等の設置面に安全性を確保した状態で設置して使用できるとともに、携帯性を阻害することなく手持ち状態でも使用することもでき、さらに安全性を高めたガスバーナを提供することを課題としている。
【課題を解決するための手段】
【００１１】
本願考案に係るガスバーナは、燃焼ノズルを設けたヘッド部と、燃料ガスを収容するタンクと、手指で握持する握持部とを有するガスバーナ本体と、上記ガスバーナ本体に連結されるとともに、上記ノズルから噴出する火炎の噴出方向を所定の範囲内で調節して設置できる保持スタンドとを備えて構成される。
【００１２】
上記タンクと上記握持部とを備えて構成することにより、手持ちで使用できるとともに、携帯性が高いガスバーナを構成できる。しかも、本願考案では、上記ノズルから噴出する火炎の噴出方向を所定の範囲内で調節して設置できる保持スタンドを備えて構成される。上記保持スタンドを設けることにより、机上等に設置した状態でも使用することが可能となる。
【００１３】
手持ち使用できるとともに、机上等に設置して使用できるように構成することにより、適用できる被加熱物の範囲が広がるとともに、被加熱物の形態等に応じて最適な手法で加熱することが可能になる。
【００１４】
また、火炎の噴出方向を調節して設置することにより、作業者の作業姿勢や被加熱物の形態に応じて火炎の方向を調節することが可能となる。このため、種々の形態の被加熱物に適用できるとともに、加熱作業を容易に行うことができる。また、作業者は、両手で被加熱物を保持して作業を行うことができるため、作業の効率や精度を高めることもできる。
【００１５】
上記保持スタンドの構成は特に限定されることはない。たとえば、上記ガスバーナ本体に回動可能に連結されるアーム部と、設置面に設置等するためのベース部とを備えて構成することができる。
【００１６】
本願考案に係るガスバーナでは、机上等の設置面に設置して使用することができるように上記保持スタンドが設けられる。一方、上記保持スタンドは、ガスバーナ本体を確実に保持できるようにある程度の接地面積が必要であり、また、強度も要求される。このため、上記保持スタンドが、握持部を手指で握持して使用する際に邪魔になる恐れがある。この不都合を回避するため、本願考案では、ガスバーナを手持ちで使用する場合には、上記保持スタンドを、上記握持部近傍から退避させた退避位置をとることができるように構成している。
【００１７】
たとえば、上記保持スタンドを、上記ガスバーナ本体を上記設置面に対して所定角度範囲で位置決め保持できる連結部材を備えて構成するとともに、上記握持部近傍から退避させた退避位置をとることができるように構成することができる。
【００１８】
上記退避位置をとらせる手法は特に限定されることはない。上記保持スタンドを、ガスバーナ本体に付属させた状態で、上記握持部から離間させることができればよい。たとえば、保持スタンドを、ガスバーナ本体に回動可能に連結して設け、上記握持部を握持して作業を行う際に、ヘッド部の後方あるいは上方に回動させて、握持部を握持する手指の邪魔にならないように構成するのが望ましい。
【００１９】
上記連結部材を介して上記ガスバーナ本体を安定的に保持できれば、上記保持スタンドの構成は特に限定されることはない。たとえば、上記設置面に対接するベース部と、このベース部に立設されたアーム部とを備えて上記保持スタンドを構成できる。上記保持スタンドを、上記握持部の両側に沿って平行に延びる一対のアーム部と、上記アーム部を立設するとともに設置面に設置できるベース部とを備えて構成するとともに、上記アーム部の先端に設けられる上記連結部材を介して、上記ヘッド部又はその近傍を、上記設置面に平行な軸周りに所定の角度範囲で回動可能に保持できるように構成することができる。
【００２０】
上記アーム部は、上記ガスバーナ本体を挟むようにして平行に延びる一対の部材から構成することができる。上記アーム部の先端に設けた連結部材を介して、ガスバーナ本体を所定の回動範囲で位置決め保持することにより、火炎を所要の方向に向けて噴出させることができる。
【００２１】
上記連結部材の構成は特に限定されることはない。たとえば、ガスバーナ本体側と保持スタンド側に、相対回動可能で所要の相対角度位置で位置決めできる一対の連結部材を設け、これら連結部材間の回動角度を調節することにより、火炎を所要の方向に向けて噴出させることができる。所要の相対角度位置で位置決め保持する機構も特に限定されることはなく、たとえば、上記一対の連結部材を所要の相対角度位置において容易に締め付けることができる蝶ねじ等を採用できる。また、上記一対の連結部材の間に所定角度間隔で段階係止できる位置決め機構を採用することができる。たとえば、上記連結部材間に互いに係合する菊座面を設けるとともに、上記連結部材をばね部材によって軸方向移動可能に弾力付勢し、上記菊座面の係合位置を変更できるように構成することができる。
【００２２】
上記ベース部は、上記アーム部を介して、設定された回動範囲内にあるガスバーナ本体を安定して支持できるように、所要の接地面積を備えて構成される。これにより、所要の方向に向けて火炎を噴射するガスバーナを安全に保持することが可能となる。
【００２３】
ガスバーナの火炎は、一般的なガスライターに比べて強力であり、温度も高い。このため、設置面に近接させて火炎を噴出させた場合、設置面を焦がしたり、火災の原因となる恐れがある。安全性を確保するため、火炎が噴出する燃焼ノズルの先端を、設置面に近接しないように規制して保持できるように、上記保持スタンドを構成するのが望ましい。たとえば、設置面に対する上記火炎の噴出方向を、所定角度以上にならないように構成するのが望ましい。また、上記燃焼ノズルを設置面から所定距離離間させて設けるのが望ましい。具体的には、上記連結部材を、上記燃焼ノズルから噴出する火炎を、設置面に対して４５度で向かう方向〜設置面に対して直角に離れる方向のの角度範囲内で角度調節して噴射できるように構成するのが好ましい。設置面に対する火炎の噴出方向（設置面と火炎の噴出方向との間の角度）が４５度以上になると、火炎の熱が設置面に伝わりやすくなり、設置面の温度が上昇しやすくなる。また、設置面との間に被加熱物を位置させるための空間を確保しにくくなる。さらに、安全性を確保するために、上記燃焼ノズルの先端を設置面から６ｃｍ以上離れるように、上記保持スタンドを構成するのが好ましい。これにより、設置面に火炎の熱が伝わりにくくなり、安全性が高まる。
【００２４】
上記保持スタンドは、上記ガスバーナ本体に着脱不可能に連結することもできるし、着脱可能に連結することもできる。上記ガスバーナ本体を着脱可能に保持するために、上記ガスバーナ本体を着脱可能に保持する保持部材を備えた連結部材を採用することもできる。
【００２５】
上記保持部材の構成は特に限定されることはない。たとえば、上記ガスバーナの握持部を収容して保持できるように構成できる。また、上記握持部と上記保持部材とに、着脱可能に嵌合できる保持構造を設けてもよい。上記ガスバーナを上記保持スタンドに着脱可能に保持することにより、設置状態において火炎を所要の方向に向けて噴出させて作業を行うことができるとともに、ガスバーナ本体を保持部材から外して手持状態で作業を行うことが可能となり、作業性が向上する。
【００２６】
上記ガスバーナを鉄板等の磁性体に吸着させて使用できるように、上記ベース部に、取付用磁石を設けるのが好ましい。たとえば、机上に設置しただけでは、被加熱物や異物が接触すると、ガスバーナが転倒する恐れがある。このため、机上に上記ベース部より大きな面積を有する鉄板を敷設するとともに、上記取付用磁石を吸着させて使用するのが好ましい。さらに、噴出する火炎が上記鉄板に向かうように設定することにより、より安全性が高まる。
【００２７】
上記保持スタンドの転倒を防止するために、上記ベース部に、転倒防止用の延出部を設けるのが好ましい。たとえば、上記延出部として、上記ベース部の周縁から設置面に沿って径方向外方に延出する延出片を設けることができる。
【００２８】
さらに、上記延出部を、上記ベース部の縁部から出没可能に設けることができる。たとえば、円盤状のベース部を設けるとともに、このベース部から所定方向に出没する延出片を設けることができる。
【考案の効果】
【００２９】
ガスバーナを、机上等の設置面に安全性を確保した状態で設置して使用できるとともに、携帯性を阻害することなく手持ち状態でも使用することができる。
【図面の簡単な説明】
【００３０】
【図１】本願考案に係るガスバーナの側面図である。
【図２】図１に示すガスバーナの正面図である。
【図３】図１に示すガスバーナの背面図である。
【図４】図１に示すガスバーナの保持スタンドを握持部から退避させ、手持ち状態で使用する状態を示す側面図である。
【図５】連結部材の構造を示す断面図である。
【図６】図５におけるＶＩ−ＶＩ線に沿う要部の側面図である。
【図７】図５におけるＶＩＩ−ＶＩＩ線に沿う要部の側面図である。
【図８】ベース部の底面図である。
【図９】図８における、ＩＸ−ＩＸ線に沿う断面図である。
【図１０】使用状態を示す側面図である。
【図１１】本願考案に係るガスバーナの第２の実施形態を示す側面図である。
【図１２】図１１に示すガスバーナの正面図である。
【考案を実施するための形態】
【００３１】
以下、本願考案の実施形態を図に基づいて具体的に説明する。
【００３２】
図１に示すように、本実施形態に係るガスバーナ１のガスバーナ本体６は、先端に燃焼ノズル３を設けたヘッド部２と、このヘッド部２の下方に延出する握持部５とを備えて構成されている。上記握持部５の内部には、液状の燃料ガスを収容するガスタンク４が設けられている。上記ヘッド部２の後端上部には、上記燃焼ノズル３にガスを供給するとともに点火する点火ボタン１３が設けられており、この点火ボタン１３を押圧操作することにより上記燃焼ノズル３に燃料ガスを供給して気化させ、点火できるように構成されている。
【００３３】
上記ガスバーナ本体６における上記握持部５の上方には、保持スタンド７が連結されている。上記保持スタンド７は、設置面１１に設置されるベース部９と、上記ベース部９の上面から延出するとともに、先端が上記ガスバーナ本体６に連結される一対のアーム部１０，１０とを備えて構成されている。
【００３４】
上記アーム部１０，１０の先端部には、上記アーム部１０側に設けられる第１の連結部材８，８と、上記ガスバーナ本体６側に設けられる第２の連結部材１５，１５とを介して、上記ガスバーナ本体６が回動可能に連結されている。図５に示すように、上記第１の連結部材８，８には、上記アーム部１０，１０の先端部を突入させる連結穴３０が形成されており、上記アーム部１０，１０と上記第１の連結部材８，８が連結されている。
【００３５】
図５及び図６に示すように、第２の連結部材１５，１５は、円筒状に形成されており側面縁部に菊座加工が施されている。一方、図７に示すように、上記第１の連結部材の側面には、上記菊座面２０に係合する一対の凸条２１，２１が形成されている。上記菊座面２０と上記凸条２１，２１とを係合させることにより、上記保持スタンド７と上記ガスバーナ本体６とを所要の角度で保持できるように構成されている。
【００３６】
また、図６に示すように、上記第２の連結部材１５，１５の上記菊座面２０の内側には、回動軸１２を中心とする所定の角度範囲に円弧状の回動角度規制溝２３が形成されている。一方、上記第１の連結部材８，８には、上記回動角度規制溝２３内に突入させられる規制凸部２２が形成されている。上記回動角度規制溝２３に、上記規制凸部２２が係合して、上記第１の連結部材８，８と上記第２の連結部材１５，１５の相対回動可能範囲を規制できるように構成されている。これにより、上記保持スタンド７と上記ガスバーナ本体６との回動可能範囲が規制される。
【００３７】
上記第１の連結部材８，８と上記第２の連結部材１５，１５とは、設置面１１に対して平行に設けられたボルト１７を介して、上記設置面１１に平行な回動軸１２の周りに回動可能に保持される。上記ボルト１７は、上記第１の連結部材８，８に設けた通挿穴１６及び上記アーム部１０，１０の先端部に設けた通挿穴１６ａに連通挿されるとともに、先端ネジ部１７ｂが、上記第２の連結部材１５，１５に設けた螺子穴２４に螺合される。
【００３８】
図５に示すように、上記第１の連結部材８，８と上記第２の連結部材１５，１５とは、バネ１９によって軸方向に弾力付勢された状態で、ボルト１７を介して回動可能に連結されている。また、上記第１の連結部材８，８と上記第２の連結部材１５，１５は、上記バネ１９の弾力に抗して上記菊座面２０と上記凸条２１，２１との係合が解除される距離だけ軸方向に移動できるように保持されている。上記構成によって、上記第１の連結部材８，８と上記第２の連結部材１５，１５とを上記バネ１９の弾力に抗して相対回転させ、上記凸条２１，２１と上記菊座面２０の係合位置を変更して、上記スタンド７と上記ガスバーナ本体６との相対回動角度を調節することができる。上記構成によって、上記ガスバーナ本体６を上記保持スタンド７に対して、所定の回動範囲内で段階係止可能に保持することができる。
【００３９】
図８及び図９に示すように、上記ベース部９は、円柱状に形成されているとともに、上面から裏面に貫通する一対のアーム取付穴９ｂが形成されている。上記アーム部１０，１０の基端には、延出方向と直角に曲折されるとともに固定穴が形成された取付部１０ａが設けられている。一方、上記アーム取付穴９ｂの裏面側には、上記取付部１０ａを収容できる取付座２８が形成されており、取付ネジ２７を介して上記取付部１０ａの基端部を固定できるように構成されている。
【００４０】
上記ベース部９の外周部の４箇所には、延出片９ｃが上記ベース部９の外縁から延出形成されている。上記延出片９ｃは、設置面積を大きくするために設けられたものであり、保持スタンド７を安定的に立設して、ガスバーナ本体６を保持できるように構成されている。なお、本実施形態では、上記延出片９ｃを上記ベース部９に一体形成したが、上記ベース９に対して出没可能に設けることもできる。
【００４１】
上記取付座２８の径方向内側には、円盤状の磁石２６が設けられており、鉄板等に吸着させて、保持スタンド７を安定して設置できるように構成されている。例えば、図９に示すように、上記ベース部９の外周より大きな鉄板７ａを介して机上等の設置面１１に設置することにより、より安定性を高めることが可能となる。
【００４２】
図１０に示すように、上記構成のガスバーナ１では、上記保持スタンド７のベース部９を机上等の設置面１１に設置した状態で、上記燃焼ノズル３から噴出する火炎を、設置面１１に対して４５度下方向（図１０においてθ＝４５度）から直角上方向の角度範囲内で角度調節して噴射できるように設定されている。また、上記保持スタンド７は、上記燃焼ノズル３の先端が設置面からＨ＝６ｃｍ以上離れるように構成されている。上記構成を採用することにより、火炎が設置面１１に噴射されることがなくなり、安全性が確保される。しかも、上記ガスバーナ本体６は、設置面１１に対して４５度下方向から直角上方向の角度範囲内で角度調節して噴射できるように設定されているため、種々の作業姿勢で加熱作業を行うことも可能となる。
【００４３】
図１１及び図１２に本願考案の他の実施形態を示す。この実施形態は、連結部材２０８，２１５を、ガスバーナ本体２０６を着脱可能に保持する保持部材２５０を備えて構成したものである。なお、上記保持部材２５０以外の構成は、第１の実施形態と同様であるので説明は省略する。
【００４４】
上記保持部材２５０は、図１２に示すように上方及び前後に開口する略コ字状断面を備えて構成されており、上記ガスバーナ本体２０６の握持部２０５を挟持して保持できるように構成されている。
【００４５】
上記保持部材２５０の上端部には、第２の連結部材２１５が設けられている。一方、ベース部２０９に立設された一対の保持アーム２１０は、上記保持部材２５０の側部に沿って立設されており、先端部に第１の連結部材２０８が設けられている。上記第１の連結部材２０８と上記第２の連結部材２１５は、上述した実施形態と同様の構成を備えており、上記保持部材２５０を所定の回動範囲で位置決め保持できるように構成されている。
【００４６】
上記保持部材２５０は、図示しない係止手段によって、上記握持部２０５を保持できるように構成されている。上記握持部２０５を保持する手法は特に限定されることはない。たとえば、上記握持部２０５の側面と上記保持部材２５０の内面に弾性係合する係合手段を設けることができる。上記保持部材２５０に上記ガスバーナ本体２０６を保持させることにより、第１の実施形態と同様に、上記ガスバーナ本体２０６を机上等の設置面に設置して所定の角度姿勢をとらせて使用することが可能となる。また、本実施形態では、保持スタンド２０７とガスバーナ本体２０６とを容易に分離することができるため、手持ち状態で使用する場合の使い勝手も向上する。
【産業上の利用可能性】
【００４７】
机上等の設置面に安全性を確保した状態で設置して使用できるとともに、携帯性を阻害することなく手持ち状態でも使用することもでき、さらに安全性を高めたガスバーナを提供できる。
【符号の説明】
【００４８】
１  ガスバーナ
２  ヘッド部
３  燃焼ノズル
４  燃料タンク
５  握持部
６  ガスバーナ本体
７  保持スタンド
【図１】
0003184009.tif 000003
【図２】
0003184009.tif 000004
【図３】
0003184009.tif 000005
【図４】
0003184009.tif 000006
【図５】
0003184009.tif 000007
【図６】
0003184009.tif 000008
【図７】
0003184009.tif 000009
【図８】
0003184009.tif 000010
【図９】
0003184009.tif 000011
【図１０】
0003184009.tif 000012
【図１１】
0003184009.tif 000013
【図１２】
0003184009.tif 000014